(57)【特許請求の範囲】
【請求項１】
観察すべき試料が設置されるステージ（１４）が取り付けられた鏡脚基体（１２）を備え、
前記鏡脚基体（１２）のハウジング（４２）により包囲された室内に交換可能な蛍光キューブ（５６）を有する蛍光装置（５０）が配置されており、
前記ハウジング（４２）は、第１の開口（７０）を有し、該第１の開口（７０）を介して、前記蛍光装置（５０）へのアクセスが可能である、顕微鏡であって、
前記ハウジング（４２）は、少なくとも１つの第２の開口（７４）を有し、該第２の開口（７４）を介して、同様に前記蛍光装置（５０）へのアクセスが可能であり、これにより全体で２つの開口（７０，７４）が設けられており、これらの第１の開口（７０）および第２の開口（７４）を介して、それぞれ前記蛍光装置（５０）へのアクセスが可能であり、前記第１の開口（７０）および前記第２の開口（７４）を介して、それぞれ前記蛍光装置（５０）の蛍光キューブ（５６）を交換することができ、
前記蛍光装置（５０）は、回動軸線（６０）を中心に回転可能な回転テーブル（５２）を有し、該回転テーブル（５２）に、交換可能な複数の前記蛍光キューブ（５６）が収容可能であり、
前記回転テーブル（５２）は、前記蛍光キューブ（５６）の交換が、交換のために前記回転テーブル（５２）を取り外さなくても、前記第１の開口（７０）を通しても前記第２の開口（７４）を通しても可能に寸法決めされかつ位置決めされており、
自由に選択可能な側で、外部の構成群を取り付けるための構成スペースおよび外部の構成群の連結のための機械的なかつ／または光学的なインタフェースが設けられており、前記外部の構成群がどちらの側に配置されているかにかかわらず、前記外部の構成群全体を予め再び取り外さなくても、前記蛍光装置（５０）へのアクセスを行うことができることを特徴とする、顕微鏡。
【請求項２】
前記第１の開口（７０）と前記第２の開口（７４）とは、前記ハウジング（４２）のそれぞれ反対の側に配置されている、請求項１記載の顕微鏡（１０，１００）。
【請求項３】
前記第１の開口（７０）と前記第２の開口（７４）とは、同一に成形されている、請求項１または２記載の顕微鏡（１０，１００）。
【請求項４】
前記第１の開口（７０）を少なくとも部分的に閉鎖する第１の蓋（７２，１０２）および／または前記第２の開口（７４）を少なくとも部分的に閉鎖する第２の蓋（７６，１０４）が設けられている、請求項１から３までのいずれか１項記載の顕微鏡（１０，１００）。
【請求項５】
前記第１の蓋（７２，１０２）は、前記第１の開口（７０）を完全に閉鎖する、かつ／または前記第２の蓋（７６，１０４）は、前記第２の開口（７４）を完全に閉鎖する、請求項４記載の顕微鏡（１０，１００）。
【請求項６】
前記第１の蓋（７２，１０２）は、前記第１の開口（７０）を部分的にしか閉鎖しない、かつ／または前記第２の蓋（７６，１０４）は、前記第２の開口（７４）を部分的にしか閉鎖しない、請求項４または５記載の顕微鏡（１０，１００）。
【請求項７】
前記第１の蓋（７２，１０２）と前記第２の蓋（７６，１０４）とは、該第１の蓋（７２，１０２）および該第２の蓋（７６，１０４）の両方がそれぞれ選択的に両方の前記開口（７０，７４）に取付け可能に構成されている、請求項４から６までのいずれか１項記載の顕微鏡（１０，１００）。
【請求項８】
前記第１の蓋（７２，１０２）と前記第２の蓋（７６，１０４）とは、同一に構成されている、請求項４から７までのいずれか１項記載の顕微鏡（１０，１００）。
【請求項９】
前記第１の蓋（７２，１０２）および／または前記第２の蓋（７６，１０４）は、前記ハウジング（４２）にねじ止め可能である、請求項４から８までのいずれか１項記載の顕微鏡（１０，１００）。
【請求項１０】
前記第１の開口（７０）および前記第２の開口（７４）は、前記回転テーブル（５２）が前記第１の開口（７０）を通しても前記第２の開口（７４）を通しても取外し可能に構成されている、請求項１から９までのいずれか１項記載の顕微鏡。
【請求項１１】
前記回転テーブル（５２）は、移動可能であるまたは引出し可能である引出し上に配置されており、該引出しは、前記引出しが前記第１の開口（７０）からも前記第２の開口（７４）からも外方へ移動可能または引出し可能に構成されている、請求項１から９までのいずれか１項記載の顕微鏡（１０，１００）。
【請求項１２】
前記回転テーブル（５２）は、旋回可能な旋回式引出し上に配置されており、該旋回式引出しは、前記旋回式引出しが前記第１の開口（７０）からも前記第２の開口（７４）からも外方へ旋回可能に構成されている、請求項１から９までのいずれか１項記載の顕微鏡（１０，１００）。
【請求項１３】
前記回転テーブル（５２）を回動させるためのモータ（５８）が設けられている、請求項１から１２までのいずれか１項記載の顕微鏡（１０，１００）。
【請求項１４】
前記回転テーブル（５２）は、該回転テーブル（５２）を手動で回動させるために、前記第１の開口（７０）および／または前記第２の開口（７４）から外へ突出している、請求項１から１２までのいずれか１項記載の顕微鏡（１０，１００）。
【請求項１５】
前記回転テーブル（５２）の縁は、溝目（１０６）を有する、請求項１４記載の顕微鏡（１０，１００）。
【請求項１６】
前記回転テーブル（５２）は、少なくとも４つの、それぞれ１つの蛍光キューブ（５６）を収容するための収容領域を有する、請求項１から１５までのいずれか１項記載の顕微鏡（１０，１００）。
【請求項１７】
前記回転テーブル（５２）は、少なくとも８つの、それぞれ１つの蛍光キューブ（５６）を収容するための収容領域を有する、請求項１から１５までのいずれか１項記載の顕微鏡（１０，１００）。
【発明の詳細な説明】
【技術分野】
【０００１】
本発明は、顕微鏡に関し、顕微鏡は、ハウジングと蛍光装置とを備え、蛍光装置は、ハウジングにより包囲された室内に配置されている。ハウジングは、第１の開口を有し、第１の開口を介して、蛍光装置へのアクセスが可能である。
【０００２】
蛍光顕微鏡では、蛍光性の色素は、所定の波長の光により励起され、これに基づき、蛍光色素は、別の波長の光、いわゆる蛍光を放出する。蛍光色素に応じて、試料は、様々な波長の光により励起されるべきである。同様に、色素に応じて、放出される蛍光の波長がそれぞれ異なっている。
【０００３】
様々な蛍光色素を有する試料を相応に顕微鏡で観察できるようにするために、蛍光顕微鏡は、蛍光装置を備える。蛍光装置には、複数の蛍光キューブを収容することができ、蛍光キューブのうちのそれぞれ１つを選択的に顕微鏡のビーム路に導入することができる。蛍光キューブは、特に励起フィルタを有する。励起フィルタは、光源から放出された光が抽出されて、励起波長を有する励起光だけが励起フィルタを通過するように働く。さらに、蛍光キューブは、ビームスプリッタを有し、ビームスプリッタを介して、励起光は、試料へ向けて反射される。試料から放出される蛍光は、ビームスプリッタならびに吸収フィルタを透過する。吸収フィルタを、蛍光波長を有する蛍光だけが透過し、顕微鏡の鏡胴および／またはカメラに達する。
【０００４】
そのような蛍光装置は、必然的に、様々な蛍光キューブを収容するための限られた数の区分しか有しないので、蛍光キューブを容易に交換できるようにする必要がある。
【０００５】
文献独国特許１０２００４０３４８８７号明細書において顕微鏡が公知である。この顕微鏡は、回動軸線を中心に旋回可能な旋回式引出しを有し、旋回式引出しにより、蛍光キューブがその上に載置された回転テーブルを、顕微鏡のハウジングの開口から外方へ旋回させることができるので、蛍光キューブを容易に交換することができる。
【０００６】
独国特許発明第４４０４２８６号明細書は、顕微鏡を開示しており、この顕微鏡では、蛍光キューブを備える回転テーブルが引出し上に配置されており、引出しは、蛍光キューブを交換するために、ハウジングの開口から外方へ移動可能である。
【０００７】
前述の両方の顕微鏡では、これらの顕微鏡が単一の開口を有し、この開口を通して旋回式引出しまたは引出しが外方へ移動可能であることが共通している。
【０００８】
その欠点によれば、一方では、それゆえ片側からだけ蛍光装置へのアクセスが可能であり、これは、どちらの側に開口が配置されているのかに基づいて、右利きの人および／または左利きの人にとって人間工学的でなくなることがある。他方では、多くの場合に顕微鏡の側方に、追加的に外部に配置された機能構成群が設けられていることが不都合である。たとえば、カメラ用の接続部、マイクロマニピュレータ、光源、試料供給部、空調室およびこれに類するものが設けられることがある。これらの外部の構成群が、開口と同じ側に配置されていると、開口を介して蛍光装置へのアクセスが可能となる前に、これらの構成群を、その都度はじめに再び取り外さなければならない。これは、多大な手間を伴ってしまう。
【０００９】
本発明の課題は、蛍光装置の蛍光キューブを容易に交換することができる顕微鏡を提供することである。
【００１０】
この課題は、請求項１の特徴部に記載の構成を有する装置により解決される。本発明の好適な別の態様は、従属請求項に記述されている。
【００１１】
本発明によれば、ハウジングに、少なくとも１つの第２の開口が設けられており、第２の開口を介して、蛍光装置へのアクセスが可能である。
【００１２】
これにより、全体で２つの開口が設けられており、これらの開口を介して、それぞれ蛍光装置へのアクセスが可能であり、したがってこれらの開口を介して、それぞれ蛍光装置の蛍光キューブを交換することができる、ことが達成される。
【００１３】
第１の開口と第２の開口とは、特に、ハウジングのそれぞれ反対の側に配置されている。顕微鏡の手前の通常の観察位置に座しているユーザから見て、開口は、特に顕微鏡の左側および右側に配置されている。
【００１４】
その利点によれば、両側から蛍光装置へのアクセスが可能であり、したがって、ユーザが左利きであるかまたは右利きであるかにかかわらず、ユーザは、人間工学的に有利に、各々の開口を通して蛍光装置へアクセスすることができ、特に蛍光キューブを交換することができる。
【００１５】
さらに、外部の周辺構成要素、たとえばカメラ、スキャナおよびこれに類するものが顕微鏡の片側に配置されていても、これらの構成要素を予め取り外さなくても、別の側を介してアクセスが可能である。
【００１６】
したがって、特に外部の構成群の連結のための機械的なかつ光学的なインタフェースが、そのために構成群の大きさまたは蛍光キューブの機能性もしくは交換に関する制限を生じさせることなく、実現される。
【００１７】
第１の開口と第２の開口とは、好適には同一に成形されているので、両方の開口を通して蛍光装置への同一のアクセスが可能である。
【００１８】
第１の蓋が設けられており、第１の蓋を介して、第１の開口が少なくとも部分的に閉鎖可能であると、特に好適である。さらに、第２の蓋が設けられており、第２の蓋を介して、第２の開口が少なくとも部分的に閉鎖可能であると、好適である。これにより、ハウジングにより防護された構成要素、特に蛍光装置が、蓋により相応に防護されており、しかも相応の蓋のその都度の取外しにより、蛍光装置へのアクセスが可能である、ことが達成される。
【００１９】
第１の蓋は、特に、この第１の蓋が第１の開口を完全に閉鎖するように、構成されている。これに応じて、第２の蓋も、この第２の蓋が第２の開口を完全に閉鎖するように、構成されてもよい。
【００２０】
択一的に、第１の蓋は、第１の開口を部分的にしか閉鎖しない、かつ／または第２の蓋は、第２の開口を部分的にしか閉鎖しないようにしてもよい。この部分的な閉鎖は、特に、蛍光装置が手動で回動可能な回転テーブルを有し、したがって、部分的な閉鎖により、この回転テーブルへのアクセスが可能であり、ひいては手動で所望の蛍光キューブをビーム路に回動させることができるときに、必要であってもよい。
【００２１】
特に、第１の蓋と第２の蓋とは、第１の蓋および第２の蓋がそれぞれ第１の開口および第２の開口をそれぞれ完全に閉鎖するように用いられるかまたは一部しか閉鎖しないように用いられるかにかかわらず、第１の蓋および第２の蓋の両方がそれぞれ選択的に両方の開口に取付け可能に構成されている。したがって、蓋を容易に交換することができる、ことが達成される。したがって、特に、手動で回動可能な回転テーブルの場合、一方の蓋を、この一方の蓋が開口（開口の手前に蓋が配置されている）を完全に閉鎖するように構成して、他方の蓋を、この他方の蓋が開口を部分的にしか閉鎖しないように構成することが可能である。つまり左側の蓋と右側の蓋とは、この場合、それぞれ異なって構成されている。この場合、ユーザは、どの側を介してユーザが回転テーブルを回動したいか選択して、その側に、部分的に閉鎖する蓋を配置することができ、これにより、蛍光キューブを有する回転テーブルへのアクセスが解放されている。この場合、別の側で、完全に閉鎖する蓋が取り付けられている。
【００２２】
第１の蓋と第２の蓋とは、特に同一に構成されてもよいので、部品の種類を低減して、蓋を任意に交換することができる。
【００２３】
第１の蓋および第２の蓋は、特に、これらの第１の蓋および第２の蓋がハウジングにねじ止め可能に構成されている。特に、蓋がそれぞれ異なって成形される場合、ねじを案内する孔が、同一のパターンで配置されているので、それぞれ異なって成形される蓋、たとえばそれぞれの開口を完全に閉鎖するかつ／または部分的にしか閉鎖しない蓋を任意に交換することもできる。
【００２４】
本発明の特に好適な実施の態様では、蛍光装置は、回動軸線を中心に回動可能な回転テーブルを有し、回転テーブルに、複数の蛍光キューブが交換可能に収容できるようになっている。この場合、回転テーブルは、特に、収容される蛍光キューブのうちのそれぞれ１つが選択的に顕微鏡のビーム路に旋回可能に回動可能に支持されている。
【００２５】
各々の蛍光キューブは、特に、蛍光フィルタと、４５°斜めに設置されたビームスプリッタと、蛍光だけが鏡胴またはカメラへ向けて透過する吸収フィルタとを備える。
【００２６】
回転テーブルは、それぞれ１つの蛍光キューブを収容可能である複数の収容区分、特に４つまたは８つの収容区分を有する。蛍光キューブは、特に蟻継ぎ保持部または係止結合部を介して収容区分に取り付けることができるので、顕微鏡の搬送時、回転テーブルの回動時、収容区分からの蛍光キューブの落下が回避される。
【００２７】
開口により、両側から回転テーブルへのアクセスが可能であるので、両側から蛍光キューブを交換することができる、ことが達成される。
【００２８】
特に好適な実施の態様では、第１の開口および第２の開口は、回転テーブルが第１の開口を通しても第２の開口を通しても取外し可能に構成されている。したがって、回転テーブルを、蛍光装置の全体を保守するかつ／または交換するために蛍光キューブを交換する際、両方の開口を通して容易に取り外すことができ、したがって、特に快適な蛍光キューブの交換および蛍光装置のアクセスが可能である、ことが達成される。
【００２９】
特に好適な実施の態様では、回転テーブルは、蛍光キューブの交換が、交換のために回転テーブルを取り外さなくても、第１の開口を通しても第２の開口を通しても可能に寸法決めされかつ収容室に位置決めされている。そのために、回転テーブルは、特に、回転テーブルが開口の直ぐ手前まで突出しており、したがって、キューブの交換時、室内へ深く係合しなくてもよいような大きさに構成されている。そのために、さらに、第１の開口および第２の開口は、特に、回転テーブルを装着するときでも、蛍光キューブを容易に収容区分から取り出すことができ、新たな蛍光キューブを挿入することができるような大きさに構成されている。
【００３０】
択一的な実施の態様では、回転テーブルは、移動可能な引出し上に配置されてもよい。この場合、引出しは、この引出しが第１の開口からも第２の開口からも外方へ移動可能であるまたは引出し可能であり、したがって、相応の外方への移動または引出しにより、両方の開口を介して、回転テーブルに対する容易なアクセスが可能に構成されている。
【００３１】
本発明の別の択一的な実施の態様では、旋回可能な旋回式引出しが設けられてもよく、この場合、旋回式引出しは、同様に、旋回式引出しが第１の開口からも第２の開口からも外方へ旋回可能に構成されている。そうすると、この実施の態様でも、両方の開口を通しての、ひいては顕微鏡の両側での蛍光装置への容易なアクセスが可能である。
【００３２】
さらに、回転テーブルを回動させるためのモータが設けられていると、好適である。この実施の態様では、第１の蓋および第２の蓋は、特に、第１の蓋および第２の蓋が第１の開口および第２の開口を完全に閉鎖するように、構成されている。したがって、動作中の蛍光装置へのアクセスが回避されるので、蛍光装置の最適な防護が与えられている。
【００３３】
本発明の択一的な実施の態様では、回転テーブルは、回転テーブルを手動で回動させることができるように、構成されてもよい。この場合、両方の蓋のうちの少なくとも１つは、この蓋が開口を完全には閉鎖しないので、ユーザは、第１の開口または第２の開口の開いたままの領域を介して回転テーブルを手動で回動させることができるように、構成されている。
【００３４】
そのために、回転テーブルの縁は、特に溝目を有するので、ユーザは、回転テーブルから簡単にスリップしてしまうことがなく、回転テーブルを特に容易にかつ確実に回動させることができる。
【００３５】
さらに、回転テーブルが両方の開口のうちの少なくとも１つから突出するので、回動が特に容易に可能であると、好適である。択一的に、回転テーブルは、開口から突出せずに、内側から見て開口の直ぐ手前で終端してもよいが、それにもかかわらず、容易な回動が可能である。回転テーブルは、特に、この回転テーブルが両側でそれぞれの開口から突出するので、両側の操作が可能に寸法決めされている。択一的に、回転テーブルは、開口のうちの１つだけから突出してもよく、この場合、特に回転テーブルの位置が、ハウジングにより包囲された室内で変更可能であり、したがって、両方の開口のうちのどちらから回転テーブルが突出するのか調整することができる。
【００３６】
本発明の別の特徴および利点は、添付の図面に関連して、実施の態様に基づき本発明を詳しく説明している以下の記述から明らかである。
【図面の簡単な説明】
【００３７】
【図１】蛍光顕微鏡の概略図である。
【図２】第１の実施の態様による蛍光装置の概略図である。
【図３】図２に基づく蛍光装置の平面図である。
【図４】第１の側を見た、第１の実施の態様による蛍光顕微鏡の大幅に簡素化された概略図である。
【図５】第１の側とは反対の第２の側を見た、図４に基づく顕微鏡の概略図である。
【図６】蓋が取り外された状態の、図４および図５に基づく顕微鏡の概略図である。
【図７】蓋が閉鎖された状態の、第１の側を見た、図４〜図６に基づく顕微鏡の一部の概略斜視図である。
【図８】蓋が取り外された状態の、図７に基づく部分の概略斜視図である。
【図９】蓋が閉鎖された状態の、第２の側を見た、図４〜図６に基づく顕微鏡の別の一部の概略斜視図である。
【図１０】蓋が取り外された状態の、図９に基づく部分の概略斜視図である。
【図１１】第１の側を見た、第２の実施の態様による蛍光顕微鏡の大幅に簡素化された概略図である。
【図１２】第２の側を見た、図１１に基づく蛍光顕微鏡の概略図である。
【図１３】第１の側を見た、図１１および図１２に基づく顕微鏡の一部の概略斜視図である。
【図１４】第２の側を見た、図１１および図１２に基づく顕微鏡の一部の概略斜視図である。
【図１５】図１１〜図１４に基づく顕微鏡の蛍光装置の概略図である。
【図１６】図１５に基づく蛍光装置の平面図である。
【００３８】
図１には、第１の側を見た蛍光顕微鏡１０の概略図が示されている。顕微鏡１０は、鏡脚基体１２を含み、鏡脚基体１２に、ステージ１４が位置固定に取り付けられており、ステージ１４上に、特にスライドガラスの形で観察すべき試料を設置することができる。
【００３９】
さらに、対物レンズリボルバ１６が設けられており、対物レンズリボルバ１６は、複数の空所を有し、空所のうちの１つに例示的に符号２２が付されている。空所２２には、それぞれ対物レンズ１８が収容可能であり、この場合、図１には、図面を分かりやすくするために、対物レンズ１８が１つだけ図示されている。この場合、対物レンズリボルバ１６は、リボルバ支持体２０に回動可能に取り付けられているので、選択的に、対物レンズ１８のうちの１つを、顕微鏡１０の光軸へ回動させることができる。この場合、対物レンズリボルバ１６は、リボルバ支持体２０に斜めに取り付けられているので、回動軸線（回動軸線を中心に対物レンズリボルバ１６が回動可能である）は、光軸に対して斜めに延在する。
【００４０】
対物レンズリボルバ１６の回動は、特に手動で行われ、そのために、対物レンズリボルバ１６の縁に溝目２６が設けられている。溝目２６は、ユーザの滑りを阻止すべきものである。さらに、対物レンズリボルバ１６は、操作性を改善するために、顕微鏡１０の第１の側の方向にリボルバ支持体を越えて突出しており、これにより、対物レンズリボルバ１６を容易にユーザにより回動させることができる。
【００４１】
さらに、顕微鏡１０は、接眼レンズ３０と鏡胴３２とを備え、接眼レンズ３０および鏡胴３２により、ユーザは、試料を観察することができる。さらに、試料を照明するために、一方では、透過光照明アーム３４に取り付けられた透過光源３６が設けられており、他方では、入射光源３８が設けられている。
【００４２】
さらに、顕微鏡１０は、透過光のビーム路に配置された、図１には示されていないコンデンサ４０（図４）を備える。
【００４３】
リボルバ支持体２０は、このリボルバ支持体２０が鏡脚基体１２に対して、ひいてはステージ１４に対しても両矢Ｐ１の方向に移動可能に、鏡脚基体１２に取り付けられており、この場合、その移動方向は、顕微鏡１０の光軸に対して平行に向けられている。リボルバ支持体２０ひいては対物レンズリボルバ１６の相応の位置調整を介して、観察されるべき試料の焦点合わせを行うことができる。
【００４４】
リボルバ支持体２０を位置調整するために、顕微鏡の第１の側に、位置調整ダイヤル２４が設けられており、位置調整ダイヤル２４を介して、ユーザは、リボルバ支持体２０の移動を制御することができる。その際、移動は、選択的に、純粋に機械式に行ってもモータ式に行ってもよい。
【００４５】
さらに、顕微鏡１０は、対物レンズリボルバ１６の下方で顕微鏡１０のハウジング４２により包囲された室内に配置されているので図１において看取されない蛍光装置を備える。
【００４６】
図２には、第１の実施の態様による、顕微鏡１０のそのような蛍光装置５０の概略側面図が示されている。図３は、蛍光装置５０の平面図を示している。
【００４７】
蛍光装置５０は、４つの開口を有する回転テーブル５２を備える。４つの開口のうちの１つに例示的に符号５４が付されている。４つの開口５４の領域に、それぞれ１つの蛍光キューブ５６が取付け可能であり、この場合、図２および図３には、蛍光キューブ５６が１つだけ示されている。
【００４８】
さらに、モータ５８が設けられており、モータ５８により、回転テーブル５２は、それ自体の回動軸線６０を中心に回動することができるので、蛍光キューブ５６のうちの１つを、それぞれ選択的に、顕微鏡１０のビーム路に旋回させることができる。
【００４９】
各々の蛍光キューブ５６は、励起フィルタ６１とビームスプリッタ６２と吸収フィルタ６４とを備える。光源３８から放射される光６６は、まず励起フィルタ６１を透過する。使用される蛍光色素の励起に必要な波長を有する光６６の一部だけが、励起フィルタ６１を透過する。これに対して、蛍光色素が発するスペクトルの範囲は、励起フィルタを透過しない。続いて、光は、ビームスプリッタ６２に入射する。ビームスプリッタ６２は、励起フィルタ６１を透過する光を、顕微鏡で観察されるべき試料へ反射し、これに基づいて、試料に蛍光が発生させられる。これに応じて、試料から蛍光が放射され、蛍光は、再びビームスプリッタ６２に達し、ビームスプリッタ６２を透過する。これに対して、試料から反射された励起光は、ビームスプリッタ６２により、再び光源３８の方向へ反射され、ビームスプリッタ６２を透過しない。
【００５０】
続いて、光は、吸収フィルタ６４を透過する。この吸収フィルタ６４は、蛍光の波長を有する光だけが吸収フィルタ６４を透過するように、設計されている。
【００５１】
必要な励起光を発生させ、これに応じて蛍光だけを透過させるために、使用される蛍光色素に応じて様々な蛍光キューブが必要であるので、回転テーブル５２に複数の蛍光キューブが設けられている。これらの蛍光キューブは、選択的に、ビーム路に回動することができる。図示の実施の態様では、最大で４つのそのような蛍光キューブ５６が回転テーブル５２に取り付けられてもよい。取付けは、特に蟻継ぎ保持部または係止結合部を介して行われる。択一的に、他種の取付けも考えられる。
【００５２】
本発明の択一的な実施の態様では、回転テーブル５２は、蛍光キューブ５６のための８つの場所または他の数の場所を有してもよい。
【００５３】
したがって、収容可能な蛍光キューブ５６の数はもともと制限されていて、考えられる種々の蛍光キューブ５６の数よりも著しく小さいので、たいてい、蛍光キューブ５６を交換する必要がある。蛍光キューブ５６の容易な交換を可能にし、そうでない場合でも蛍光装置５０への良好なアクセスを有するために、顕微鏡１０の第１の側に、図４に示されたように、第１の開口７０が設けられており、第１の開口７０は、図４では、第１の蓋７２を介して閉鎖されている。図５には、第１の側とは反対の第２の側を見た、顕微鏡１０の概略図が示されている。この第２の側にも、第２の開口７４が設けられており、第２の開口７４は、第２の蓋７６を介して閉鎖可能である。したがって、蓋７２，７６の取外しにより、両側から、蛍光装置５０へのアクセスが可能であるので、特に両側から蛍光キューブ５６を交換することができる。
【００５４】
図６には、第１の側を見た、図４および図５に基づく顕微鏡１０の概略図が示されている。図６では、第１の蓋７２が取り外されているので、第１の開口７０が開いている。この場合、開口７０は、特に開口７０により支障なく蛍光装置５０へのアクセスが可能であるので、特に回転テーブル５２を交換のために顕微鏡１０から取り外さなくても、蛍光キューブ５６を交換できるような大きさに構成されている。
【００５５】
本発明の択一的な実施の態様では、旋回式引出しまたは引出しを設けてもよく、旋回式引出しまたは引出しにより、回転テーブル５２は、第１の開口７０を通しても第２の開口７４を通しても外方へ移動することができるので、この場合、蛍光キューブ５６の容易な交換を行うことができる。
【００５６】
図７および図８には、それぞれ第１の側を見た、図４〜図６に基づく顕微鏡の一部の概略斜視図が示されており、図７では、第１の蓋７２は、２つのねじ８０，８２を用いてハウジング４０にねじ止めされており、図８では、蓋７２は、取り外されている。
【００５７】
図９および図１０は、それぞれ第２の側を見た、図４〜図６に基づく顕微鏡の一部の概略斜視図を示しており、図９では、第２の開口７４は、第の２蓋７６を介して閉鎖されており、第２の蓋７６は、この場合でも同様に２つのねじ８４，８６を用いてねじ止めされている。これに対して図１０では、第２の蓋７６が取り外されているので、蛍光装置５０へのアクセスが可能である。
【００５８】
一般的に、第１の蓋７２および第２の蓋７６を保持するには磁石で十分である。したがって、第１の蓋７２に対するねじ８０，８２および第２の蓋７６に対するねじ８４，８６に対して追加的にまたは択一的に、それぞれハウジング４０および第１の蓋７２ならびに第２の蓋７６に複数の磁石が取り付けられている。これらの磁石は、第１の蓋７２および第２の蓋７６を、磁力により、開口７４におけるそれぞれの位置に保持する。第１の蓋７２および／または第２の蓋７６も強磁性材料または磁化材料から製造されている場合、第１の蓋７２および／または第２の蓋７６における磁石を省くことも考えられる。ただし、前述のねじ止めは、顕微鏡１０にレーザビームが使用され、第１の蓋７２および第２の蓋７６が顕微鏡１０のユーザをレーザ放射による損傷から防護すべき場合、安全性の理由から常時必要である。
【００５９】
両方の蓋７２，７６は、特に同一に構成されているので、両方の蓋７２，７６を選択的に交換することができる。これに応じて、特に第１の開口７０および第２の開口７４も同一の大きさに構成されているので、両側から、同一の快適なアクセスが可能である。
【００６０】
互いに反対の側に配置された２つの開口７０，７４を設けることにより、一方では、蛍光装置５０への両側のアクセスが可能であるので、左利きの人でも右利きの人でも支障なくアクセスすることができ、特に蛍光キューブ５６を交換することができる。さらに開口７０，７４は、格別に大きく構成されているので、回転テーブル５２を外へ出すことなく交換を行うことができる。
【００６１】
さらに、それぞれ反対の側に２つの開口７０，７４を設けることにより、それぞれ顕微鏡１０の、自由に選択可能な側で、追加的なまたは外部の構成要素を取り付けるための構成スペースが規定されている、ことが達成される。特に、そのために機械的なかつ／または光学的なインタフェースが設けられてもよいので、追加的な複数の外部の構成群を、構成群の大きさに関する制限の必要がなく、連結することができる。特に、カメラ、マイクロマニピュレータ、光源、試料供給部、空調室、フィルタスライダまたはカメラ用ポートなどの追加的な構成要素が設けられてもよい。開口７０，７４を設けることにより、どちらの側に追加的な構成群が配置されているかにかかわらず、常時、構成群全体を予め再び取り外さなくても、蛍光装置５０へのアクセスを行うことができる。
【００６２】
図１１〜図１６には、第２の実施の態様による顕微鏡１００が示されており、この態様では、この第２の実施の態様の顕微鏡１００は、第１の実施の態様の顕微鏡１０とは、回転テーブル５２がモータ５８を介して回動させられるのではなく、手動で回動させることができることにおいて相違している。同一の構成または同一の機能を有する構成要素は、同一の符号を有する。
【００６３】
図１１には、第１の側を見た、第２の実施の態様による顕微鏡１００の概略図が示されており、図１２には、第２の側を見た概略図が示されている。
【００６４】
図１３は、第１の側を見た、顕微鏡１００の一部の概略斜視図を示しており、図１４は、第２の側を見た概略斜視図を示している。
【００６５】
図１５には、顕微鏡１００の蛍光装置５０の側面図が示されており、図１６には、平面図が示されている。この蛍光装置５０では、モータが設けられておらず、回転テーブル５２は、顕微鏡１００のユーザにより手動で回動させられる。そのために、第１の開口７０を閉鎖するための第１の蓋１０２だけではなく第２の開口７４を閉鎖するための第２の蓋１０４も、各々の開口７０，７４を完全に閉鎖するのではなく、回転テーブル５２へのアクセスが可能であり、したがって、ユーザが回転テーブル５２を回動させることができるように、構成されている。そのために、回転テーブル５２は、特に第１の開口７０および第２の開口７２からそれぞれわずかに突出するので、回転テーブル５２は、ユーザにより、より容易に回動させることができる。さらに、回動を容易にするために、回転テーブル５２の縁に溝目１０６が設けられている。蓋１０２，１０４は、特にここでもハウジング４０にねじ止めされており、この場合、ねじパターンは、第１の実施の態様の蓋７２，７６と同一に構成されているので、完全に閉鎖する蓋７２，７６と、部分的にしか閉鎖しない蓋１０２，１０４とを、互いに、任意に交換することができる。特に、図１１〜図１６に基づく実施の態様でも、一方の側が、完全に閉鎖する蓋７２，７６により閉鎖され、他方の側でだけ、相応の完全には閉鎖しない蓋１０２，１０４により回転テーブル５２へのアクセスが可能とすることが実現される。これらの両方の蓋７２，７６，１０２，１０４の交換により、ユーザは、どちらの側から回転テーブル５２を回動させようとするのか自由に選択することができる。
【００６６】
本発明の別の択一的な実施の態様では、蓋７２，７６，１０２，１０４は、ねじ８０〜８６とは別の構成要素を介してハウジング４０に取り付けてもよい。
【００６７】
さらに、蓋７２，７６，１０２，１０４は、完全に取外し可能ではなく、紛失することがないように、たとえば下方へ旋回可能にハウジング４０に取り付けられてもよい。
【００６８】
図１〜図１６に示された実施の態様は、倒立顕微鏡である。もちろん２つの開口の原理は、蛍光装置５０が顕微鏡の上側部分に配置された正立顕微鏡に適用してもよい。
【符号の説明】
【００６９】
１０，１００  顕微鏡
１２  鏡脚基体
１４  ステージ
１６  対物レンズリボルバ
１８  対物レンズ
２０  リボルバ支持体
２２  空所
２４  回動ダイヤル
２６  溝目
３０  接眼レンズ
３２  鏡胴
３４  透過光照明アーム
３６  透過光源
３８  入射光照明ユニット
４０  コンデンサ
４２  ハウジング
５０  蛍光装置
５２  回転テーブル
５４  開口
５６  蛍光キューブ
５８  モータ
６０  回動軸線
６１  励起フィルタ
６２  ビームスプリッタ
６４  吸収フィルタ
６６  光
７０  第１の開口
７４  第２の開口
７２  第１の蓋
７６  第２の蓋
１０２，１０４  蓋
８０，８２，８４，８６  ねじ
１０６  溝目
Ｐ１  方向
【図１】
0006676621.tif 000002
【図２】
0006676621.tif 000003
【図３】
0006676621.tif 000004
【図４】
0006676621.tif 000005
【図５】
0006676621.tif 000006
【図６】
0006676621.tif 000007
【図７】
0006676621.tif 000008
【図８】
0006676621.tif 000009
【図９】
0006676621.tif 000010
【図１０】
0006676621.tif 000011
【図１１】
0006676621.tif 000012
【図１２】
0006676621.tif 000013
【図１３】
0006676621.tif 000014
【図１４】
0006676621.tif 000015
【図１５】
0006676621.tif 000016
【図１６】
0006676621.tif 000017